(57)【要約】【課題】明るさを大幅に損なうことなく、かつ、表示の違和感を発生させることなく、画面全体の書き換えを完了させる。【解決手段】奇数番目の走査線３２-1、３２-3を１番目の走査線グループとし、以下同様に奇数番目の２本の走査線を奇数番目の走査線グループとする。偶数番目の走査線３２-2、３２-4を２番目の走査線グループとし、以下同様に偶数番目の２本の走査線を偶数番目の走査線グループとする。各走査線グループに対応する１列当たり２つの画素回路ＰIXには、データ線３４-1、３４-2等を接続する。駆動回路４０は、第１期間Ｗ1にて奇数番目の走査線グループと偶数番目の走査線グループの組みを順次選択し、データ線には奇数番目の走査線グループに対応する画素電極に供給すべき電位を供給する。第２期間Ｗ2にて、偶数番目の走査線グループを順次選択し、データ線には偶数番目の走査線グループに対応する画素電極に供給すべき電位を供給する。【選択図】図１
2014066781.tif 000002
【特許請求の範囲】
【請求項１】
第１期間、及び第２期間を含むフレーム期間ごとに画像を表示する電気光学装置であって、
行方向に延在するｎ×ｍ本（ｎ、ｍは２以上の自然数）の走査線と、
列方向に配置され、列ごとにｎ×ｍ個設けられた画素と、
前記列方向に延在し、前記ｎ×ｍ個の画素が配置された列ごとにｎ本設けられたデータ線と、
前記走査線の選択に同期して前記データ線にデータ電位を供給する駆動回路と、
を備え、
前記ｎ×ｍ本の走査線が、ｎ本ずつ互いに電気的に接続された走査線グループがｍ個設けられ、
前記ｎ本のデータ線のうち第ｋ（ｋは１〜ｎの自然数）のデータ線は、前記ｍ個の走査線グループの各々において、ｎ個の画素のうち第ｋの画素に電気的に接続され、  前記ｎ×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、
前記駆動回路は、
前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとにｎ本のデータ線に供給し、
前記第２期間において、前記奇数番目の走査線グループ及び偶数番目の走査線グループのうちの他方の走査線グループに対応する画素で表示すべき階調に応じた階調電位を前記データ電位として、前記列ごとにｎ本のデータ線に供給する、
ことを特徴とする電気光学装置。
【請求項２】
前記走査線は、行方向に２×ｍ本延在し、
前記画素は、列ごとに２×ｍ個設けられ、  前記データ線は、列方向に列ごとに２本延在し、
前記２×ｍ本の走査線が、２本ずつ互いに電気的に接続された走査線グループがｍ個設けられ、
前記２本のデータ線のうち第１のデータ線と第２のデータ線のそれぞれは、前記ｍ個の走査線グループの各々において、前記２個の画素の第１の画素と第２の画素のそれぞれに接続され、
前記２×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、
前記駆動回路は、
前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに２本のデータ線に供給し、
前記第２期間において、前記奇数番目の走査線グループ及び偶数番目の走査線グループのうちの他方の走査線グループに対応する画素で表示すべき階調に応じた階調電位を前記データ電位として、前記列ごとに２本のデータ線に供給する、
ことを特徴とする請求項１に記載の電気光学装置。
【請求項３】
前記走査線は、行方向に４×ｍ本延在し、
前記画素は、列ごとに４×ｍ個設けられ、
前記データ線は、列方向に列ごとに４本延在し、
前記４×ｍ本の走査線が、４本ずつ互いに電気的に接続された走査線グループがｍ個設けられ、
前記４本のデータ線のうち第１のデータ線から第４のデータ線までのそれぞれは、前記ｍ個の走査線グループの各々において、前記４個の画素の第１の画素から第４の画素のそれぞれに接続され、
前記４×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、
前記駆動回路は、
前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに４本のデータ線に供給し、
前記第２期間において、前記奇数番目の走査線グループ及び偶数番目の走査線グループのうちの他方の走査線グループに対応する画素で表示すべき階調に応じた階調電位を前記データ電位として、前記列ごとに４本のデータ線に供給する、
ことを特徴とする請求項１に記載の電気光学装置。
【請求項４】
請求項１乃至３うち、いずれか１項に記載の電気光学装置を備えたことを特徴とする電子機器。
【請求項５】
第１期間、及び第２期間を含むフレーム期間ごとに画像を表示し、行方向に延在するｎ×ｍ本（ｎ、ｍは２以上の自然数）の走査線と、列方向に配置され、列ごとにｎ×ｍ個設けられた画素と、前記列方向に延在し、前記ｎ×ｍ個の画素が配置された列ごとにｎ本設けられたデータ線と、前記走査線の選択に同期して前記データ線にデータ電位を供給する駆動回路とを備え、前記ｎ×ｍ本の走査線が、ｎ本ずつ互いに電気的に接続された走査線グループがｍ個設けられ、前記ｎ本のデータ線のうち第ｋ（ｋは１〜ｎの自然数）のデータ線は、前記ｍ個の走査線グループの各々において、ｎ個の画素のうち第ｋの画素に電気的に接続され、前記ｎ×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置された電気光学装置の駆動方法であって、
前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとにｎ本のデータ線に供給し、
前記第２期間において、前記奇数番目の走査線グループ及び偶数番目の走査線グループのうちの他方の走査線グループに対応する画素で表示すべき階調に応じた階調電位を前記データ電位として、前記列ごとにｎ本のデータ線に供給する、
ことを特徴とする電気光学装置の駆動方法。
【請求項６】
前記電気光学装置は、前記走査線が行方向に２×ｍ本延在し、前記画素は、列ごとに２×ｍ個設けられ、前記データ線が列方向に列ごとに２本延在し、前記２×ｍ本の走査線が、２本ずつ互いに電気的に接続された走査線グループがｍ個設けられ、前記２本のデータ線のうち第１のデータ線と第２のデータ線のそれぞれが前記ｍ個の走査線グループの各々において、前記２個の画素の第１の画素と第２の画素のそれぞれに接続され、前記２×ｍ本の走査線がｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、
前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに２本のデータ線に供給し、
前記第２期間において、前記奇数番目の走査線グループ及び偶数番目の走査線グループのうちの他方の走査線グループに対応する画素で表示すべき階調に応じた階調電位を前記データ電位として、前記列ごとに２本のデータ線に供給する、
ことを特徴とする請求項５に記載の電気光学装置の駆動方法。
【請求項７】
前記電気光学装置は、前記走査線が行方向に４×ｍ本延在し、前記画素は、列ごとに４×ｍ個設けられ、前記データ線が列方向に列ごとに４本延在し、前記４×ｍ本の走査線が、４本ずつ互いに電気的に接続された走査線グループがｍ個設けられ、前記４本のデータ線のうち第１のデータ線から第４のデータ線までのそれぞれが前記ｍ個の走査線グループの各々において、前記４個の画素の第１の画素から第４の画素のそれぞれに接続され、前記４×ｍ本の走査線がｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、
前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに４本のデータ線に供給し、
前記第２期間において、前記奇数番目の走査線グループ及び偶数番目の走査線グループのうちの他方の走査線グループに対応する画素で表示すべき階調に応じた階調電位を前記データ電位として、前記列ごとに４本のデータ線に供給する、
ことを特徴とする請求項５に記載の電気光学装置の駆動方法。
【発明の詳細な説明】
【技術分野】
【０００１】
本発明は、行方向と列方向に配置された複数の画素を備え、フレーム期間ごとに画像を表示する技術に関連する。
【背景技術】
【０００２】
液晶表示装置には、行方向に延びて形成された複数の走査線と、列方向に延びて形成された複数のデータ線と、各走査線と各データ線と交差に対応して複数の画素が設けられている。このような液晶表示装置において、できるだけ短時間に画面全体を書き換えるために、列方向に隣り合う２本の走査線を１つの走査線グループと考え、各走査線グループの走査線に接続される第１の画素と第２の画素のそれぞれに、第１のデータ線と第２のデータ線とを接続した液晶表示装置が知られている（例えば、特許文献１）。
この液晶表示装置において画像を表示させる際には、列方向に隣り合う２つの走査線グループずつを順次同時選択し、１フレーム目には奇数番目の走査線グループの画素に対する画像データを第１のデータ線と第２のデータ線に書き込み、２フレーム目には偶数番目の走査線グループの画素に対する画像データを第１のデータ線と第２のデータ線に書き込む。
このように駆動することにより、通常の半分の時間で画面全体の書き換えを完了させることができる。
【先行技術文献】
【特許文献】
【０００３】
【特許文献１】特開２００６−２６７５４４号公報
【発明の概要】
【発明が解決しようとする課題】
【０００４】
しかしながら、上述のような液晶表示装置の駆動方法では、列方向に隣り合う２つの走査線グループを同時選択するために、１フレーム目に書き込んだ奇数番目の走査線グループの画素に対する画像データが、偶数番目の走査線グループの画素に対しても書き込まれてしまう。
したがって、１フレーム目の画像データを書き込んでから、２フレーム目の画像データを書き込むまでの期間においては、本来と異なる画像が表示される期間となる。その結果、実際の表示は、１フレーム目と２フレーム目の時間平均の表示となるため、解像感が損なわれ、エッジがなだらかになることになる。
また、表示画像によっては、画像データに存在しないエッジが表示画像に現れたり、画像データに存在するエッジが表示されなかったりする場合があり、非常に違和感のある見え方になることがあった。
対策としては、１フレーム目の表示中は、光源を消灯させるという方法も考えられるが、明るさが大幅に損なわれてしまうので好ましくない。
以上の事情を考慮して、本発明は、明るさを大幅に損なうことなく、かつ、表示の違和感を発生させることなく、画面全体の書き換えを完了させること等を解決課題とする。
【課題を解決するための手段】
【０００５】
以上の課題を解決するために、本発明の電気光学装置は、第１期間、及び第２期間を含むフレーム期間ごとに画像を表示する電気光学装置であって、行方向に延在するｎ×ｍ本（ｎ、ｍは２以上の自然数）の走査線と、列方向に配置され、列ごとにｎ×ｍ個設けられた画素と、前記列方向に延在し、前記ｎ×ｍ個の画素が配置された列ごとにｎ本設けられたデータ線と、前記走査線の選択に同期して前記データ線にデータ電位を供給する駆動回路とを備え、前記ｎ×ｍ本の走査線が、ｎ本ずつ互いに電気的に接続された走査線グループがｍ個設けられ、前記ｎ本のデータ線のうち第ｋ（ｋは１〜ｎの自然数）のデータ線は、前記ｍ個の走査線グループの各々において、ｎ個の画素のうち第ｋの画素に電気的に接続され、前記ｎ×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、前記駆動回路は、前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとにｎ本のデータ線に供給し、
前記第２期間において、前記奇数番目の走査線グループ及び偶数番目の走査線グループのうちの他方の走査線グループに対応する画素で表示すべき階調に応じた階調電位を前記データ電位として、前記列ごとにｎ本のデータ線に供給することを特徴とする。
【０００６】
前記電気光学装置は、第１期間において、隣り合う奇数番目の走査線グループと偶数番目の走査線グループとの組みを順次選択して、奇数番目の走査線グループ及び偶数番目の走査線グループのうちの一方の走査線グループに対応する画素で表示すべき階調に応じた階調電位を前記データ電位として、前記列ごとにｎ本のデータ線に供給する。走査線は、奇数番目の走査線グループに含まれる走査線と、偶数番目の走査線グループに含まれる走査線とが交互に配置されているので、第１期間において偶数番目の走査線グループに対応する画素にも奇数番目の走査線グループに対応する画素に供給すべき電位が供給されても違和感のないパターンが表示されることになる。そして、第２期間において、前記組みのうちの奇数番目の走査線グループ及び偶数番目の走査線グループのうちの他方の走査線グループを順次選択して、奇数番目の走査線グループ及び偶数番目の走査線グループのうちの他方の走査線グループに対応する画素で表示すべき階調に応じた階調電位を前記データ電位として、前記列ごとにｎ本のデータ線に供給するので、本来表示すべきパターンが表示されることになる。
【０００７】
前記電気光学装置において、前記走査線は、行方向に２×ｍ本延在し、前記画素は、列ごとに２×ｍ個設けられ、前記データ線は、列方向に列ごとに２本延在し、前記２×ｍ本の走査線が、２本ずつ互いに電気的に接続された走査線グループがｍ個設けられ、前記２本のデータ線のうち第１のデータ線と第２のデータ線のそれぞれは、前記ｍ個の走査線グループの各々において、前記２個の画素の第１の画素と第２の画素のそれぞれに接続され、前記２×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、前記駆動回路は、前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに２本のデータ線に供給し、前記第２期間において、前記奇数番目の走査線グループ及び偶数番目の走査線グループのうちの他方の走査線グループに対応する画素で表示すべき階調に応じた階調電位を前記データ電位として、前記列ごとに２本のデータ線に供給するようにしてもよい。
【０００８】
このようにすれば、２重マトリックス構造の電気光学装置において、明るさを大幅に損なうことなく、かつ、表示の違和感を発生させることなく、画面全体の書き換えを完了させる。
【０００９】
前記電気光学装置において、前記走査線は、行方向に４×ｍ本延在し、前記画素は、列ごとに４×ｍ個設けられ、前記データ線は、列方向に列ごとに４本延在し、前記４×ｍ本の走査線が、４本ずつ互いに電気的に接続された走査線グループがｍ個設けられ、前記４本のデータ線のうち第１のデータ線から第４のデータ線までのそれぞれは、前記ｍ個の走査線グループの各々において、前記４個の画素の第１の画素から第４の画素のそれぞれに接続され、前記４×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、前記駆動回路は、前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに４本のデータ線に供給し、前記第２期間において、前記奇数番目の走査線グループ及び偶数番目の走査線グループのうちの他方の走査線グループに対応する画素で表示すべき階調に応じた階調電位を前記データ電位として、前記列ごとに４本のデータ線に供給するようにしてもよい。
【００１０】
このようにすれば、４重マトリックス構造の電気光学装置において、明るさを大幅に損なうことなく、かつ、表示の違和感を発生させることなく、画面全体の書き換えを完了させる。
【００１１】
以上の課題を解決するために、本発明の電気光学装置の駆動方法は、第１期間、及び第２期間を含むフレーム期間ごとに画像を表示し、行方向に延在するｎ×ｍ本（ｎ、ｍは２以上の自然数）の走査線と、列方向に配置され、列ごとにｎ×ｍ個設けられた画素と、前記列方向に延在し、前記ｎ×ｍ個の画素が配置された列ごとにｎ本設けられたデータ線と、前記走査線の選択に同期して前記データ線にデータ電位を供給する駆動回路とを備え、前記ｎ×ｍ本の走査線が、ｎ本ずつ互いに電気的に接続された走査線グループがｍ個設けられ、前記ｎ本のデータ線のうち第ｋ（ｋは１〜ｎの自然数）のデータ線は、前記ｍ個の走査線グループの各々において、ｎ個の画素のうち第ｋの画素に電気的に接続され、前記ｎ×ｍ本の走査線は、ｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置された電気光学装置の駆動方法であって、前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとにｎ本のデータ線に供給し、前記第２期間において、前記奇数番目の走査線グループ及び偶数番目の走査線グループのうちの他方の走査線グループに対応する画素で表示すべき階調に応じた階調電位を前記データ電位として、前記列ごとにｎ本のデータ線に供給することを特徴とする。
【００１２】
前記電気光学装置の駆動方法において、前記電気光学装置は、前記走査線が行方向に２×ｍ本延在し、前記画素は、列ごとに２×ｍ個設けられ、前記データ線が列方向に列ごとに２本延在し、前記２×ｍ本の走査線が、２本ずつ互いに電気的に接続された走査線グループがｍ個設けられ、前記２本のデータ線のうち第１のデータ線と第２のデータ線のそれぞれが前記ｍ個の走査線グループの各々において、前記２個の画素の第１の画素と第２の画素のそれぞれに接続され、前記２×ｍ本の走査線がｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、
前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに２本のデータ線に供給し、前記第２期間において、前記奇数番目の走査線グループ及び偶数番目の走査線グループのうちの他方の走査線グループに対応する画素で表示すべき階調に応じた階調電位を前記データ電位として、前記列ごとに２本のデータ線に供給するようにしてもよい。
【００１３】
前記電気光学装置の駆動方法において、前記電気光学装置は、前記走査線が行方向に４×ｍ本延在し、前記画素は、列ごとに４×ｍ個設けられ、前記データ線が列方向に列ごとに４本延在し、前記４×ｍ本の走査線が、４本ずつ互いに電気的に接続された走査線グループがｍ個設けられ、前記４本のデータ線のうち第１のデータ線から第４のデータ線までのそれぞれが前記ｍ個の走査線グループの各々において、前記４個の画素の第１の画素から第４の画素のそれぞれに接続され、前記４×ｍ本の走査線がｍ個の走査線グループのうち前記列方向に隣り合う第Ｍ（Ｍは１〜ｍ−１の自然数）の走査線グループの走査線と第Ｍ＋１の走査線グループの走査線とが列方向に交互に配置され、前記第１期間において、隣り合う奇数番目の走査線グループと偶数番目の走査線グループとの組みを順次選択して、前記奇数番目の走査線グループ及び偶数番目の走査線グループのうちの一方の走査線グループに対応する画素で表示すべき階調に応じた階調電位を前記データ電位として、前記列ごとに４本のデータ線に供給し、前記第２期間において、前記奇数番目の走査線グループ及び偶数番目の走査線グループのうちの他方の走査線グループに対応する画素で表示すべき階調に応じた階調電位を前記データ電位として、前記列ごとに４本のデータ線に供給するようにしてもよい。
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１４】
【図１】本発明の第１実施形態に係る電気光学装置のブロック図である。
【図２】画素回路の回路図である。
【図３】電気光学装置の動作の説明図である。
【図４】走査線駆動回路の動作の説明図である。
【図５】本発明の第１実施形態における走査線及びデータ線と画素との接続の態様を示す図である。
【図６】本発明の第１実施形態において１フレーム期間に表示させる画像の一例を示す図である。
【図７】本発明の第１実施形態において第１期間に表示させる画像の一例を示す図である。
【図８】本発明の第１実施形態において第２期間に表示させる画像の一例を示す図である。
【図９】本発明の第２実施形態における走査線及びデータ線と画素との接続の態様を示す図である。
【図１０】本発明の第２実施形態において１フレーム期間に表示させる画像の一例を示す図である。
【図１１】本発明の第２実施形態において第１期間に表示させる画像の一例を示す図である。
【図１２】本発明の第２実施形態において第２期間に表示させる画像の一例を示す図である。
【図１３】電子機器（パーソナルコンピュータ）の斜視図である。
【図１４】電子機器（携帯電話機）の斜視図である。
【図１５】電子機器（投射型表示装置）の斜視図である。
【図１６】本発明の比較例１における走査線及びデータ線と画素との接続の態様を示す図である。
【図１７】本発明の比較例１における擬似駆動を行った場合の第１期間に表示させる画像の一例を示す図である。
【図１８】本発明の比較例１における擬似駆動を行った場合の第２期間に表示させる画像の一例を示す図である。
【図１９】本発明の比較例１における１フレーム期間に表示させる画像の一例を示す図である。
【図２０】本発明の比較例１における第１期間に表示させる画像の一例を示す図である。
【図２１】本発明の比較例１における第２期間に表示させる画像の一例を示す図である。
【図２２】本発明の比較例２における走査線及びデータ線と画素との接続の態様を示す図である。
【図２３】本発明の比較例２における１フレーム期間に表示させる画像の一例を示す図である。
【図２４】本発明の比較例２における第１期間に表示させる画像の一例を示す図である。
【図２５】本発明の比較例１における第２期間に表示させる画像の一例を示す図である。
【発明を実施するための形態】
【００１５】
＜１．第１実施形態＞
図１は、本発明の第１実施形態に係る電気光学装置１００のブロック図である。電気光学装置１００は、液晶表示装置１０と、液晶表示装置１０のバックライトとして機能する光源７０とを備える。液晶表示装置１０は、電気光学パネル１２、及び制御回路１４を具備する。光源７０は、制御回路１４から供給される制御信号ＣＴＬに基づいて、輝度が制御される。具体的には、光源７０は、制御信号ＣＴＬがローレベルの期間において、ハイレベルの期間と比較して輝度が低くなるように制御される。
電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２（３２-1、３２-2、３２-3、・・・３２-M）と、ｘ方向に交差するｙ方向に延在する２Ｎ本のデータ線３４（３４-1、３４-2、３４-3、・・・３４-2N）とが形成される（Ｍ及びＮは自然数）。画素部３０内の複数の画素ＰIXは、走査線３２とデータ線３４との各交差に対応して縦Ｍ行×横Ｎ列の行列状に配列される。
【００１６】
図２は、各画素ＰIXの回路図である。図２に示すように、各画素ＰIXは、液晶素子ＣLとトランジスターＴｒとを含む。液晶素子ＣLは、相互に対向する画素電極６２及び共通電極６４と両電極間の液晶６６とで構成された電気光学素子である。画素電極６２と共通電極６４との間の印加電圧に応じて液晶６６の透過率（表示階調）が変化する。トランジスターＴｒは、走査線３２にゲートが接続されたＮチャネル型の薄膜トランジスターで構成され、液晶素子ＣLとデータ線３４との間に介在して両者の電気的な接続（導通／絶縁）を制御する。ｍを１からＭ／２までの自然数、ｎを１から２Ｎ−１までの自然数としたとき、本実施形態では２本の走査線３２が１つの走査線グループを形成しているので、走査信号Ｙ[m]が選択電位に設定されることで、mが奇数のとき(奇数番目の走査線グループ)は、2m-1行と2m+1行を選択し、mが偶数のとき(偶数番目の走査グループ)は、2m-2行と2m行を選択する。したがって、2m-1行と2m+1行または2m-2行と2m行の各画素ＰIXにおけるトランジスターＴｒが同時にオン状態に遷移する。また、本実施形態では、１列の画素ＰIXに対して２本のデータ線３４が設けられており、各画素ＰIX（液晶素子ＣL）は、トランジスターＴｒがオン状態に制御されたとき（すなわち走査線３２の選択時）のデータ線３４のデータ電位Ｘ[n]、Ｘ[n+1]に応じた階調を表示する。なお、液晶素子ＣLに並列に補助容量を接続した構成も採用され得る。
【００１７】
図１に示す駆動回路４０は、走査線駆動回路４２とデータ線駆動回路４４とを具備する。駆動回路４０は図示しない電位供給回路から電源電圧の供給を受けて動作する。走査線駆動回路４２は、各走査線３２に対応する走査信号Ｙ[1]〜Ｙ[2m]の供給で２本ずつの走査線３２からなる走査線グループＳＧ[1]〜ＳＧ[2m]を順次に選択する。走査信号Ｙ[m]（ｍ＝１〜Ｍ／２）が所定の選択電位に設定されることでmが奇数のとき(奇数番目の走査線グループ)は、2m-1行と2m+1行の走査線３２が選択され、mが偶数のとき(偶数番目の走査グループ)は、2m-2行と2m行の走査線３２が選択される。データ線駆動回路４４は、走査線駆動回路４２による走査線３２の選択に同期して２Ｎ本のデータ線３４の各々にデータ電位Ｘ[1]〜Ｘ[2N]を供給する。
【００１８】
図３は、液晶表示装置１０の動作の説明図である。液晶表示装置１０はフレーム期間単位で制御され、フレーム期間は、第１期間Ｗ１と第２期間Ｗ２を含む。図３に示すように、第１期間Ｗ１においては、奇数番目の走査線グループと、この奇数番目の走査線グループに隣り合う偶数番目の走査線グループの２つの走査線グループの組みを同時に選択し、以下同様に、奇数番目の走査線グループと偶数番目の走査線グループの２つの走査線グループの組みを順次同時に選択する。そして、奇数番目の走査線グループに対応する画素で表示すべき階調に応じた階調電位を、１列当たり２本のデータ線に供給する。
【００１９】
第２期間Ｗ２においては、前記組みにおける偶数番目の走査線グループを順次選択し、偶数番目の走査線グループに対応する画素で表示すべき階調に応じた階調電位を、１列当たり２本のデータ線に供給する。
【００２０】
図４に走査線駆動回路４２の動作を示す。走査線駆動回路４２は、各フレーム期間Ｆの第１期間Ｗ１及び第２期間Ｗ２において、相互に隣合う２つの走査線グループの組みを選択単位として選択期間Ｈ[1]〜Ｈ[K]にて順次に選択する。すなわち、各第１期間Ｗ1の第4k行目の走査線３２-kを含む走査線グループを選択する第k番目の選択期間Ｈ[k]では、奇数行の走査信号Ｙ[2k-1]と偶数行の走査信号Ｙ[2k]とが同時に選択電位に設定されることで、第(4k-3)行の走査線３２と第(4k-1)行の走査線３２を含む奇数番目の走査線グループと、第(4k-2)行の走査線３２と第4k行の走査線３２を含む偶数番目の走査線グループとが同時に選択される。例えば選択期間Ｈ[1]では第１行の走査線３２と第３行の走査線３２を含む１番目の走査線グループと、第２行の走査線３２と第４行の走査線３２を含む２番目の走査線グループとが同時に選択され、選択期間Ｈ[2]では第５行の走査線３２と第７行の走査線３２を含む３番目の走査線グループと、第６行の走査線３２と第８行の走査線３２を含む４番目の走査線グループとが同時に選択される。したがって、第１期間Ｗ1内の選択期間Ｈ[k]の総数Ｋは、走査線３２の総数Ｍの４分の１に相当する（Ｋ＝Ｍ/４）。
【００２１】
第１期間Ｗ１のうち第4k行目の走査線３２-4kを含む走査線グループを選択する第k番目の選択期間Ｈ[k]において、データ線駆動回路４４は、第(4k-3)行の走査線３２と第(4k-1)行の走査線３２を含む奇数番目の走査線グループと、第(4k-2)行の走査線３２と第4k行の走査線３２を含む偶数番目の走査線グループに対応する各画素の指定階調Ｇ[2k-1]に応じたデータ電位Ｘ[n-1]、Ｘ[n]を各データ線３４のペアに供給する。この結果、第(4k-3)行の走査線３２と第(4k-1)行の走査線３２に対応する画素で表示すべき階調電位がデータ電位Ｘ[n-1]、Ｘ[n]として当該画素に書き込まれる。しかし、第(4k-2)行の走査線３２と第4k行の走査線３２に対応する画素に対しては、当該画素において本来表示すべきではない階調電位がデータ電位Ｘ[n-1]、Ｘ[n]として当該画素に書き込まれることになる。
【００２２】
そこで、第２期間Ｗ２では、偶数番目の走査線グループである第(4k-2)行の走査線３２と第4k行の走査線３２に対応する画素で表示すべき階調電位をデータ電位Ｘ[n-1]、Ｘ[n]として、当該画素に書き込む。
例えば、選択期間Ｈ[1]では、第１行及び第３行の各画素の指定階調Ｇ[1]に応じたデータ電位Ｘ[n-1]、Ｘ[n]が第１行乃至第４行の各画素回路ＰIXに供給され、選択期間Ｈ[2]では、第２行及び第４行の各画素の指定階調Ｇ[2]に応じたデータ電位Ｘ[n-1]、Ｘ[n]が第２行及び第４行の各画素回路ＰIXに供給される。
【００２３】
以上の通り、第１期間Ｗ1においてはＹ方向に相互に隣合う奇数番目の走査線グループと偶数番目の走査線グループの組みに対応する各画素回路ＰIXのペアには相等しいデータ電位Ｘ[n-1]、Ｘ[n]が供給されるから、第１期間Ｗ1が終了する時点では、Ｙ方向の解像度を半分に低下させた画像が画素部３０に表示される。
そして、第２期間Ｗ1においては偶数番目の走査線グループに対応する各画素回路ＰIXのペアに、本来書き込むべきデータ電位Ｘ[n-1]、Ｘ[n]が供給されるから、第２期間Ｗ２の終点では所期の解像度（Ｍ行×Ｎ列）に更新される。
【００２４】
このように本実施形態においては、各画素への書き込みに必要な時間を短縮することなく、明るさ、あるいは、コントラストを確保しながら、本来の解像度を得ることができる。この結果、トランジスタサイズを縮小して、高精細な画像を表示することが可能となる。また、奇数番目の走査線グループと偶数番目の走査線グループの組みにおける奇数番目の走査線グループに属する走査線と偶数番目の走査線グループに属する走査線とを交互に配置しているので、第１期間Ｗ1終了から第２期間Ｗ1開始までの間に違和感のある表示パターンを出現させることがない。以下、本実施形態の電気光学装置１００における第１期間Ｗ1終了時の表示パターンと、第２期間Ｗ1終了時の表示パターンについて説明する。
【００２５】
図５は、本実施形態における第１行から第８行、及び第１列から第４列までの画素と、走査線３２及びデータ線３４との接続の態様を示す図である。本実施形態の液晶表示装置１０は、図５に示すように２重マトリックス構造を有している。
図５において各画素には１Ｕ−１等の符号が付されているが、この符号において、最初の数字の「１」は「１番目の走査線グループ」に対応する画素であることを示している。次のアルファベットの「Ｕ」は、上側の画素であることを示している。この部分のアルファベットが「Ｌ」の場合には、下側の画素であることを示している。ハイフンの後の数字は、１列目の画素であることを示している。
つまり、「１Ｕ−１」という符号は、「１番目の走査線グループに対応する１列目の上側の画素」であることを示している。また、「１Ｌ−１」という符号は、「１番目の走査線グループに対応する１列目の下側の画素」であることを示している。さらに、「２Ｌ−２」であれば、「２番目の走査線グループに対応する２列目の下側の画素」であることを示している。
【００２６】
走査線３２は、図５において実線で示す第１行目の走査線３２-1と第３行目の走査線３２-3の組みが１番目の走査線グループを形成する。図５において点線で示す第２行目の走査線３２-2と第４行目の走査線３２-4の組みは、２番目の走査線グループを形成する。同様に、図５において実線で示す第５行目の走査線３２-5と第７行目の走査線３２-7の組みが３番目の走査線グループを形成する。図５において点線で示す第６行目の走査線３２-6と第８行目の走査線３２-8の組みが４番目の走査線グループを形成する。
【００２７】
データ線３４は、１列について２本ずつ配置されており、一方のデータ線３４が各走査線グループに対応する画素の上側の画素に接続され、他方のデータ線３４が各走査線グループに対応する画素の下側の画素に接続される。つまり、１列目については、データ線３４-1は１Ｕ−１、２Ｕ−１、３Ｕ−１、４Ｕ−１に接続され、データ線３４-2は１Ｌ−１、２Ｌ−１、３Ｌ−１、４Ｌ−１に接続される。同様に、２列目については、データ線３４-3は１Ｕ−２、２Ｕ−２、３Ｕ−２、４Ｕ−２に接続され、データ線３４-4は１Ｌ−２、２Ｌ−２、３Ｌ−２、４Ｌ−２に接続される。さらに、３列目については、データ線３４-5は１Ｕ−３、２Ｕ−３、３Ｕ−３、４Ｕ−３に接続され、データ線３４-6は、１Ｌ−３、２Ｌ−３、３Ｌ−３、４Ｌ−３に接続される。そして、４列目については、データ線３４-7は１Ｕ−４、２Ｕ−４、３Ｕ−４、４Ｕ−４に接続され、データ線３４-8は、１Ｌ−４、２Ｌ−４、３Ｌ−４、４Ｌ−４に接続される。
【００２８】
このような液晶表示装置１０において、図６に示すパターンを表示させる場合について説明する。つまり、１列目については、第１行目から第４行目までの画素を「白、黒、黒、白」と表示させ、以下、第５行目以降もこのパターンを繰り返す。２列目については、第１行目から第４行目までの画素を「黒、白、白、黒」と表示させ、以下、第５行目以降もこのパターンを繰り返す。３列目については、第１行目から第４行目までの画素を「黒、黒、白、白」と表示させ、以下、第５行目以降もこのパターンを繰り返す。４列目については、第１行目から第４行目までの画素を「白、白、黒、黒」と表示させ、以下、第５行目以降もこのパターンを繰り返す。
【００２９】
図６に示すパターンを表示させるには、第１期間Ｗ1において、データ線３４-1には白を表示させる電位、データ線３４-2には黒を表示させる電位を供給する。データ線３４-3には黒を表示させる電位、データ線３４-4には白を表示させる電位を供給する。データ線３４-5には黒を表示させる電位、データ線３４-6には白を表示させる電位を供給する。データ線３４-7には白を表示させる電位、データ線３４-8には黒を表示させる電位を供給する。
そして、第１期間Ｗ1において、１番目の走査線グループと２番目の走査線グルーブの組みを同時に選択する。以下、同様に、隣り合う走査線グループの組みを順次選択する。その結果、図７に示すように、１番目の走査線グループの１列目に対応する１Ｕ−１の画素は白、１Ｌ−１の画素は黒が表示される。１番目の走査線グループの２列目に対応する１Ｕ−２の画素は黒、１Ｌ−２の画素は白が表示される。１番目の走査線グループの３列目に対応する１Ｕ−３の画素は黒、１Ｌ−３の画素は白が表示される。１番目の走査線グループの４列目に対応する１Ｕ−４の画素は白、１Ｌ−４の画素は黒が表示される。このように、１番目の走査線グループに対応する画素においては、本来のパターンが表示される。３番目の走査線グループに対応する画素においても同様である。
【００３０】
しかし、第１期間Ｗ1においては、１番目の走査線グループを選択すると同時に２番目の走査線グルーブも選択しているため、図７に示すように、２番目の走査線グループの１列目に対応する２Ｕ−１の画素は白、２Ｌ−１の画素は黒が表示される。２番目の走査線グループの２列目に対応する２Ｕ−２の画素は黒、２Ｌ−２の画素は白が表示される。１番目の走査線グループの３列目に対応する２Ｕ−３の画素は黒、２Ｌ−３の画素は白が表示される。１番目の走査線グループの４列目に対応する２Ｕ−４の画素は白、２Ｌ−４の画素は黒が表示される。このように、２番目の走査線グループに対応する画素においては、１番目の走査線グループに対応する画素と同じパターンが表示され、本来表示されるパターンとは異なるパターンが表示される。４番目の走査線グループに対応する画素においても同様である。
【００３１】
そこで、第２期間Ｗ２においては、２番目、４番目、６番目というように、偶数番目の走査線グループを選択し、データ線３４-1には黒を表示させる電位、データ線３４-2には白を表示させる電位を供給する。データ線３４-3には白を表示させる電位、データ線３４-4には黒を表示させる電位を供給する。データ線３４-5には黒を表示させる電位、データ線３４-6には白を表示させる電位を供給する。データ線３４-7には白を表示させる電位、データ線３４-8には黒を表示させる電位を供給する。
その結果、第２期間Ｗ２の終了時には、図８に示すパターンが表示される。このように、図６に示す表示させようとするパターンと同じパターンが表示されることになる。
【００３２】
このように本実施形態においては、走査線グループの組みに属する奇数番目の走査線グループの走査線と偶数番目の走査線グループの走査線とを列方向において交互に配置したので、第１期間Ｗ1の終了時には本来の表示パターンとは異なるものの、それ程違和感のないパターンを表示させることができ、第２期間Ｗ２においては列方向に隣り合う画素の表示パターンを適切に制御することができる。
【００３３】
＜２．比較例１＞
次に、上述した実施形態との比較のために図１６を参照して比較例１について説明する。  図１６は、比較例１における第１行から第８行、及び第１列から第４列までの画素と、走査線３２及びデータ線３４との接続の態様を示す図である。比較例１についても図１６に示すように２重マトリックス構造を有しているが、走査線３２は、奇数番目の走査線グループに含まれる１本の走査線と偶数番目の走査線グループに含まれる１本の走査線とが列方向に交互に配置されているのではなく、走査線グループごとに走査線が２本ずつ列方向に配置されている。
【００３４】
比較例１においても、第１期間Ｗ１は、図１７に示すように、データ線３４-1には１番目の走査線グループに対応する上側の電極を表示させる電位、データ線３４-2には１番目の走査線グループに対応する下側の電極を表示させる電位を供給する。そして、１番目の走査線グループと２番目の走査線グルーブの組みを同時に選択する。以下、同様に、隣り合う走査線グループの組みを順次選択する。その結果、１番目の走査線グループの１列目に対応する１Ｕ−１の画素と１Ｌ−１の画素に表示されたパターンと同じパターンが、２番目の走査線グループの２つの画素にも表示されることになる。また、３番目の走査線グループの１列目に対応する３Ｕ−１の画素と３Ｌ−１の画素に表示されたパターンと同じパターンが、４番目の走査線グループの２つの画素にも表示されることになる。
【００３５】
そこで、第２期間Ｗ２においは、図１８に示すように、２番目、４番目、６番目というように、偶数番目の走査線グループを選択し、データ線３４-1には２番目の走査線グループに対応する上側の電極を表示させる電位、データ線３４-2には２番目の走査線グループに対応する下側の電極を表示させる電位を供給する。その結果、第２期間Ｗ２の終了時には、所望のパターンを表示させることができる。
【００３６】
しかしながら、以上のような従来の２重マトリックス構造の液晶表示装置において、図１９に示すパターンを表示させる場合には、以下のような問題が生ずる。
まず、図１９に示すパターンを表示させるには、第１期間Ｗ1において、図２０に示すように、データ線３４-1には白を表示させる電位、データ線３４-2には黒を表示させる電位を供給する。データ線３４-3には黒を表示させる電位、データ線３４-4には白を表示させる電位を供給する。データ線３４-5には黒を表示させる電位、データ線３４-6にも黒を表示させる電位を供給する。データ線３４-7には白を表示させる電位、データ線３４-8にも白を表示させる電位を供給する。
そして、第１期間Ｗ1において、１番目の走査線グループと２番目の走査線グルーブの組みを同時に選択する。以下、同様に、隣り合う走査線グループの組みを順次選択する。その結果、１番目の走査線グループの１列目に対応する１Ｕ−１の画素は白、１Ｌ−１の画素は黒が表示される。１番目の走査線グループの２列目に対応する１Ｕ−２の画素は黒、１Ｌ−２の画素は白が表示される。１番目の走査線グループの３列目に対応する１Ｕ−３の画素は黒、１Ｌ−３の画素は黒が表示される。１番目の走査線グループの４列目に対応する１Ｕ−４の画素は白、１Ｌ−４の画素は白が表示される。このように、１番目の走査線グループに対応する画素においては、本来のパターンが表示される。３番目の走査線グループに対応する画素においても同様である。
【００３７】
しかし、第１期間Ｗ1においては、１番目の走査線グループを選択すると同時に２番目の走査線グルーブも選択しているため、２番目の走査線グループについても１番目の走査線グループと同様のパターンが表示される。また、４番目の走査線グループについても３番目の走査線グループと同様のパターンが表示される。その結果、図２０に示すように、３列目は全ての画素が黒のパターンとなり、４列目は全ての画素が白のバターンになってしまう。
【００３８】
次に、第２期間Ｗ２においては、図２１に示すように、２番目、４番目、６番目というように、偶数番目の走査線グループを選択し、データ線３４-1には黒を表示させる電位、データ線３４-2には白を表示させる電位を供給する。データ線３４-3には白を表示させる電位、データ線３４-4には黒を表示させる電位を供給する。データ線３４-5には白を表示させる電位、データ線３４-6には白を表示させる電位を供給する。データ線３４-7には黒を表示させる電位、データ線３４-8には黒を表示させる電位を供給する。
その結果、第２期間Ｗ２の終了時には、図１９に示す表示させようとするパターンと同じパターンが表示されることになる。
【００３９】
しかしながら、比較例１においては、第１期間Ｗ1の終了時には３列目は全ての画素が黒のパターンとなり、４列目は全ての画素が白のバターンが表示され、本来の表示パターンとの相違が大きくなり、違和感のあるパターンが表示されることになる。
【００４０】
以上のように、従来の２重マトリックス構造の液晶表示装置と比較すると、上述した実施形態においては第１期間Ｗ1の終了時に本来のパターンとは異なるパターンが表示されるものの、その相違がそれ程大きくないので、違和感のないパターンを表示できることがわかる。
【００４１】
＜３．第２実施形態＞
第２実施形態の液晶表示装置は、図９に示すように４重マトリックス構造を有しているところが第１実施形態と異なる。つまり、走査線３２は、図９において実線で示す第１行目の走査線３２-1、第３行目の走査線３２-3、第５行目の走査線３２-5、第７行目の走査線３２-7の組みが１番目の走査線グループを形成する。図９において点線で示す第２行目の走査線３２-2、第４行目の走査線３２-4、第６行目の走査線３２-6、第８行目の走査線３２-8の組みは、２番目の走査線グループを形成する。
【００４２】
データ線３４は、１列について４本ずつ配置されており、１本目のデータ線３４が各走査線グループに対応する１番目の画素に接続され、２本目のデータ線３４が各走査線グループに対応する２番目の画素に接続され、３本目のデータ線３４が各走査線グループに対応する３番目の画素に接続され、４本目のデータ線３４が各走査線グループに対応する４目の画素に接続される。
つまり、１列目については、データ線３４-1は１Ｕ−１、２Ｕ−１に接続され、データ線３４-2は１Ｕ−２、２Ｕ−２に接続され、データ線３４-3は１Ｌ−１、２Ｌ−１に接続され、データ線３４-4は１Ｌ−２、２Ｌ−２に接続され。同様に、２列目については、データ線３４-5は１Ｕ−３、２Ｕ−３に接続され、データ線３４-6は１Ｕ−４、２Ｕ−４に接続され、データ線３４-7は１Ｌ−３、２Ｌ−３に接続され、データ線３４-8は１Ｌ−４、２Ｌ−４に接続され。さらに、３列目については、データ線３４-9は１Ｕ−５、２Ｕ−５に接続され、データ線３４-10は２Ｕ−６、２Ｕ−６に接続され、データ線３４-11は１Ｌ−５、２Ｌ−５に接続され、データ線３４-12は２Ｌ−６、２Ｌ−６に接続される。そして、４列目については、データ線３４-13は１Ｕ−７、２Ｕ−７に接続され、データ線３４-14は１Ｕ−８、２Ｕ−８に接続され、データ線３４-15は１Ｌ−７、２Ｌ−７に接続され、データ線３４-16は１Ｌ−８、２Ｌ−８に接続される。
【００４３】
このような液晶表示装置１０において、図１０に示すパターンを表示させる場合について説明する。つまり、１列目については、第１行目から第４行目までの画素を「黒、黒、黒、白」と表示させ、第５行目から第８行目までの画素を「白、白、白、白」と表示させる。２列目については、第１行目から第４行目までの画素を「白、白、白、黒」と表示させ、第５行目から第８行目までの画素を「黒、黒、黒、黒」と表示させる。３列目については、第１行目から第４行目までの画素を「黒、黒、黒、白」と表示させ、第５行目から第８行目までの画素を「白、白、白、白」と表示させる。４列目については、第１行目から第４行目までの画素を「黒、黒、黒、白」と表示させ、第５行目から第８行目までの画素を「白、白、白、白」と表示させる。
【００４４】
図１０に示すパターンを表示させるには、第１期間Ｗ1において、図１１に示すように、データ線３４-1には黒を表示させる電位、データ線３４-2には黒を表示させる電位、データ線３４-3には白を表示させる電位、データ線３４-4には白を表示させる電位を供給する。
データ線３４-5には白を表示させる電位、データ線３４-6には白を表示させる電位、  データ線３４-7には黒を表示させる電位、データ線３４-8には黒を表示させる電位を供給する。
データ線３４-9には黒を表示させる電位、データ線３４-10には黒を表示させる電位、データ線３４-11には白を表示させる電位、データ線３４-12には白を表示させる電位を供給する。
データ線３４-13には白を表示させる電位、データ線３４-14には白を表示させる電位、データ線３４-15には黒を表示させる電位、データ線３４-14には黒を表示させる電位を供給する。
そして、第１期間Ｗ1において、１番目の走査線グループと２番目の走査線グルーブの組みを同時に選択する。その結果、図１１に示すように、１番目の走査線グループの１列目に対応する１Ｕ−１と１Ｕ−２の画素は黒、１Ｌ−１と１Ｌ−２の画素は白が表示される。１番目の走査線グループの２列目に対応する１Ｕ−３と１Ｕ−５の画素は白、１Ｌ−３と１Ｌ−４の画素は白が表示される。１番目の走査線グループの３列目に対応する１Ｕ−５と１Ｕ−６の画素は黒、１Ｌ−５と１Ｌ−６の画素は白が表示される。このように、１番目の走査線グループに対応する画素においては、本来のパターンが表示される。
【００４５】
しかし、第１期間Ｗ1においては、１番目の走査線グループを選択すると同時に２番目の走査線グルーブも選択しているため、２番目の走査線グループの１列目に対応する２Ｕ−１と２Ｕ−２の画素は黒、２Ｌ−１と２Ｌ−２の画素は白が表示される。２番目の走査線グループの２列目に対応する２Ｕ−３と２Ｕ−４の画素は白、２Ｌ−３と２Ｌ−４の画素は黒が表示される。１番目の走査線グループの３列目に対応する２Ｕ−５と２Ｕ−６の画素は黒、２Ｌ−５と２Ｌ−６の画素は白が表示される。１番目の走査線グループの４列目に対応する２Ｕ−７と２Ｕ−８の画素は白、２Ｌ−７と２Ｌ−８の画素は黒が表示される。このように、２番目の走査線グループに対応する画素においては、１番目の走査線グループに対応する画素と同じパターンが表示され、本来表示されるパターンとは異なるパターンが表示される。
【００４６】
そこで、第２期間Ｗ２においては、図１２に示すように、２番目の走査線グループを選択し、データ線３４-1には黒を表示させる電位、データ線３４-2には白を表示させる電位、データ線３４-3は白を表示させる電位、データ線３４-4には白を表示させる電位を供給する。
データ線３４-5には白を表示させる電位、データ線３４-6には黒を表示させる電位、データ線３４-7には黒を表示させる電位、データ線３４-8には黒を表示させる電位を供給する。
データ線３４-9には黒を表示させる電位、データ線３４-10には白を表示させる電位、データ線３４-11には白を表示させる電位、データ線３４-12には白を表示させる電位を供給する。
データ線３４-13には白を表示させる電位、データ線３４-14には黒を表示させる電位、データ線３４-15には黒を表示させる電位、データ線３４-16には黒を表示させる電位を供給する。
その結果、第２期間Ｗ２の終了時には、図１０に示す表示させようとするパターンと同じパターンが表示されることになる。
【００４７】
このように本実施形態においては、走査線グループの組みに属する奇数番目の走査線グループの走査線と偶数番目の走査線グループの走査線とを列方向において交互に配置したので、第１期間Ｗ1の終了時には本来の表示パターンとは異なるものの、それ程違和感のないパターンを表示させることができ、第２期間Ｗ２においては列方向に隣り合う画素の表示パターンを適切に制御することができる。
【００４８】
＜４．比較例２＞
次に、上述した実施形態との比較のために図２２を参照して比較例２について説明する。  図２２は、比較例２における第１行から第８行、及び第１列から第４列までの画素と、走査線３２及びデータ線３４との接続の態様を示す図である。比較例２についても図２２に示すように４重マトリックス構造を有しているが、走査線３２は、奇数番目の走査線グループに含まれる１本の走査線と偶数番目の走査線グループに含まれる１本の走査線とが列方向に交互に配置されているのではなく、走査線グループごとに走査線が４本ずつ列方向に配置されている。
【００４９】
以上のような従来の４重マトリックス構造の液晶表示装置において、図２３に示すパターンを表示させる場合には、以下のような問題が生ずる。
まず、図２３に示すパターンを表示させるには、第１期間Ｗ1において、図２４に示すように、データ線３４-1には黒を表示させる電位、データ線３４-2には黒を表示させる電位、データ線３４-3には黒を表示させる電位、データ線３４-4には白を表示させる電位を供給する。
データ線３４-5には白を表示させる電位、データ線３４-6には白を表示させる電位、  データ線３４-7には白を表示させる電位、データ線３４-8には黒を表示させる電位を供給する。
データ線３４-9には黒を表示させる電位、データ線３４-10には黒を表示させる電位、データ線３４-11には黒を表示させる電位、データ線３４-12には白を表示させる電位を供給する。
データ線３４-13には白を表示させる電位、データ線３４-14には白を表示させる電位、データ線３４-15には白を表示させる電位、データ線３４-16には黒を表示させる電位を供給する。
そして、第１期間Ｗ1において、１番目の走査線グループと２番目の走査線グルーブの組みを同時に選択する。その結果、図２４に示すように、１番目の走査線グループの１列目に対応する１Ｕ−１、１Ｌ−１、１Ｕ−２の画素は黒、１Ｌ−２の画素は白が表示される。１番目の走査線グループの２列目に対応する１Ｕ−３、１Ｌ−３、１Ｕ−４の画素は白、１Ｌ−４の画素は黒が表示される。１番目の走査線グループの３列目に対応する１Ｕ−５、１Ｌ−５、１Ｕ−６の画素は黒、１Ｌ−６の画素は白が表示される。１番目の走査線グループの４列目に対応する１Ｕ−７、１Ｌ−７、１Ｕ−８の画素は黒、１Ｌ−８の画素は白が表示される。このように、１番目の走査線グループに対応する画素においては、本来のパターンが表示される。
【００５０】
しかし、第１期間Ｗ1においては、１番目の走査線グループを選択すると同時に２番目の走査線グルーブも選択しているため、２番目の走査線グループの１列目に対応する２Ｕ−１、２Ｌ−１、２Ｕ−２の画素は黒、２Ｌ−２の画素は白が表示される。２番目の走査線グループの２列目に対応する２Ｕ−３、２Ｌ−３、２Ｕ−４の画素は白、２Ｌ−４の画素は黒が表示される。２番目の走査線グループの３列目に対応する２Ｕ−５、２Ｌ−５、２Ｕ−６の画素は黒、２Ｌ−６の画素は白が表示される。２番目の走査線グループの４列目に対応する２Ｕ−７、２Ｌ−７、２Ｕ−８の画素は黒、２Ｌ−８の画素は白が表示される。このように、２番目の走査線グループに対応する画素においては、１番目の走査線グループに対応する画素と同じパターンが表示され、本来表示されるパターンとは異なるパターンが表示される。
【００５１】
そこで、第２期間Ｗ２においては、図２５に示すように、２番目の走査線グループを選択し、データ線３４-1〜データ線３４-4には白を表示させる電位、データ線３４-5〜データ線３４-8には黒を表示させる電位、データ線３４-9〜データ線３４-12には白を表示させる電位、データ線３４-13〜データ線３４-16には黒を表示させる電位を供給する。
その結果、第２期間Ｗ２の終了時には、図２３に示す表示させようとするパターンと同じパターンが表示されることになる。
【００５２】
しかしながら、比較例２においては、第１期間Ｗ1の終了時には２番目の走査線グループに対応する画素が１番目の走査線グループに対応する画素と同じパターンとなり、本来の表示パターンとの相違が大きくなり、違和感のあるパターンが表示されることになる。
【００５３】
以上のように、従来の４重マトリックス構造の液晶表示装置と比較すると、上述した実施形態においては第１期間Ｗ1の終了時に本来のパターンとは異なるパターンが表示されるものの、その相違がそれ程大きくないので、違和感のないパターンを表示できることがわかる。
【００５４】
＜５．変形例＞
以上の各形態は多様に変形され得る。具体的な変形の態様を以下に例示する。以下の例示から任意に選択された２以上の態様は、相互に矛盾しない範囲内で適宜に併合され得る。
【００５５】
（１）変形例１  
上述した第１及び第２実施形態においては、第１期間Ｗ１に奇数番目の走査線グループと偶数番目の走査線グループの組みを選択して、奇数番目の走査線グループに対応する画素を表示させるための電位をデータ線に供給すると共に、第２期間Ｗ２に偶数番目の走査線グループを選択して、偶数番目の走査線グループに対応する画素を表示させるための電位をデータ線に供給した。しかし、本発明はこのような例に限定されるものではなく、第１期間Ｗ１に奇数番目の走査線グループと偶数番目の走査線グループの組みを選択して、偶数番目の走査線グループに対応する画素を表示させるための電位をデータ線に供給すると共に、第２期間Ｗ２に奇数番目の走査線グループを選択して、奇数番目の走査線グループに対応する画素を表示させるための電位をデータ線に供給してもよい。
【００５６】
（２）変形例２  
上述した第１実施形態では２重マトリックス構造の例を説明し、第２実施形態では４重マトリックス構造の例を説明したが、本発明はこのような例に限定されるものではなく、ｎ重マトリックス構造（ｎは２以上の整数）であってもよい。
この場合、駆動回路４０は、第１期間Ｗ１において、隣り合う奇数番目の走査線グループと偶数番目の走査線グループとの組みを順次選択して、奇数番目の走査線グループ及び偶数番目の走査線グループのうちの一方の走査線グループ（実施形態では奇数番目の走査線グループ）に対応する画素で表示すべき階調に応じた階調電位を前記データ電位として、１列当たりｎ本のデータ線に供給し、第２期間Ｗ２において、奇数番目の走査線グループ及び偶数番目の走査線グループのうちの第１期間Ｗ１において１列当たりｎ本のデータ線に階調電位を供給した画素に対応する一方の走査線グループ（実施形態では奇数番目の走査線グループ）とは異なる他方の走査線グループ（実施形態では偶数番目の走査線グループ）を順次選択して、当該他方の走査線グループに対応する画素で表示すべき階調に応じた階調電位を前記データ電位として、１列当たりｎ本のデータ線に供給すればよい。
【００５７】
＜６．応用例＞
以上の各形態に例示した電気光学装置１００は、各種の電子機器に利用され得る。図１３から図１５には、電気光学装置１００を採用した電子機器の具体的な形態が例示されている。
【００５８】
図１３は、電気光学装置１００を採用した可搬型のパーソナルコンピューターの斜視図である。パーソナルコンピューター２０００は、各種の画像を表示する電気光学装置１００と、電源スイッチ２００１やキーボード２００２が設置された本体部２０１０とを具備する。
【００５９】
図１４は、電気光学装置１００を適用した携帯電話機の斜視図である。携帯電話機３０００は、複数の操作ボタン３００１およびスクロールボタン３００２と、各種の画像を表示する電気光学装置１００とを備える。スクロールボタン３００２を操作することによって、電気光学装置１０に表示される画面がスクロールされる。
【００６０】
図１５は、電気光学装置１００を適用した投射型表示装置（３板式のプロジェクター）４０００の模式図である。投射型表示装置４０００は、相異なる表示色（赤色，緑色，青色）に対応する３個の電気光学装置１００（１００R，１００G，１００B）を含んで構成される。照明光学系４００１は、照明装置（光源）４００２からの出射光のうち赤色成分ｒを電気光学装置１００Rに供給し、緑色成分ｇを電気光学装置１０Gに供給し、青色成分ｂを電気光学装置１００Bに供給する。各電気光学装置１００は、照明光学系４００１から供給される各単色光を表示画像に応じて変調する光変調器（ライトバルブ）として機能する。投射光学系４００３は、各電気光学装置１００からの出射光を合成して投射面４００４に投射する。観察者は、投射面４００４に投射された立体視画像を立体視用眼鏡２０で視認する。
【００６１】
なお、本発明に係る電気光学装置が適用される電子機器としては、図１３から図１５に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００６２】
１００……電気光学装置、１０……液晶表示装置、１２……電気光学パネル、１４……制御回路、３０……画素部、ＰIX……画素回路、ＣL……液晶素子、３２……走査線、３４……信号線、４０……駆動回路、４２……走査線駆動回路、４４……データ線駆動回路。
【図１】
2014066781.tif 000003
【図２】
2014066781.tif 000004
【図３】
2014066781.tif 000005
【図４】
2014066781.tif 000006
【図５】
2014066781.tif 000007
【図６】
2014066781.tif 000008
【図７】
2014066781.tif 000009
【図８】
2014066781.tif 000010
【図９】
2014066781.tif 000011
【図１０】
2014066781.tif 000012
【図１１】
2014066781.tif 000013
【図１２】
2014066781.tif 000014
【図１３】
2014066781.tif 000015
【図１４】
2014066781.tif 000016
【図１５】
2014066781.tif 000017
【図１６】
2014066781.tif 000018
【図１７】
2014066781.tif 000019
【図１８】
2014066781.tif 000020
【図１９】
2014066781.tif 000021
【図２０】
2014066781.tif 000022
【図２１】
2014066781.tif 000023
【図２２】
2014066781.tif 000024
【図２３】
2014066781.tif 000025
【図２４】
2014066781.tif 000026
【図２５】
2014066781.tif 000027